(57)【要約】【課題】容器に、ＩＣタグを容易且つ確実に取り付けることができ、通信特性を損なうことのないＩＣタグ保持具を提供すること。【解決手段】本実施形態に係るＩＣタグ保持具は、液体の注ぎ口が形成されたネック部と胴部とを有する容器にＩＣチップ及びＩＣチップに接続されたアンテナを有するＩＣタグを取り付けるＩＣタグ保持具であって、前記ＩＣタグが配置されたＩＣタグ配置部と、前記ＩＣタグ配置部と連結されており、前記ＩＣタグ配置部を前記容器の外周面から特定の離間長、離間させた状態で前記ネック部に取り付ける取付部と、を備え、前記ＩＣタグが前記ＩＣタグ配置部の表面に配置される。【選択図】  図１
2018106575.tif 000002
【特許請求の範囲】
【請求項１】
液体の注ぎ口が形成されたネック部と胴部とを有する容器にＩＣチップ及びＩＣチップに接続されたアンテナを有するＩＣタグを取り付けるＩＣタグ保持具であって、
前記ＩＣタグが配置されたＩＣタグ配置部と、
前記ＩＣタグ配置部と連結されており、前記ＩＣタグ配置部を前記容器の外周面から特定の離間長、離間させた状態で前記ネック部に取り付ける取付部と、
を備え、前記ＩＣタグが前記ＩＣタグ配置部の表面に配置されたＩＣタグ保持具。
【請求項２】
液体の注ぎ口が形成されたネック部と胴部とを有する容器にＩＣチップ及びＩＣチップに接続されたアンテナを有するＩＣタグを取り付けるＩＣタグ保持具であって、
前記ＩＣタグが配置されたＩＣタグ配置部と、
前記ＩＣタグ配置部と連結されており、前記ＩＣタグ配置部を前記容器の外周面から特定の離間長、離間させた状態で前記ネック部に取り付ける取付部と、
を備え、前記ＩＣタグが前記ＩＣタグ配置部の内部に配置されたＩＣタグ保持具。
【請求項３】
請求項１又は２に記載のＩＣタグ保持具であって、
前記取付部は、前記ＩＣタグ配置部を前記容器の外周面から特定の離間長、離間させるための連結部を有するＩＣタグ保持具。
【請求項４】
請求項１又は２に記載のＩＣタグ保持具であって、
前記取付部は、一部に切欠部が形成された筒形であり、可撓性材料を用いて形成されているＩＣタグ保持具。
【請求項５】
請求項１又は２に記載のＩＣタグ保持具であって、
前記取付部は、変形した後に変形前の形状に回復可能な緩衝性材料を用いて環状に形成されているＩＣタグ保持具。
【請求項６】
請求項１〜５のいずれか１項に記載のＩＣタグ保持具であって、
前記ＩＣタグ配置部の外側表面は、前記容器の最大膨隆部を含む仮想筒形状内に収まるように形成されているＩＣタグ保持具。
【請求項７】
請求項６に記載のＩＣタグ保持具であって、
前記ＩＣタグ配置部は、前記胴部の外形に沿った形状であるＩＣタグ保持具。
【発明の詳細な説明】
【技術分野】
【０００１】
本発明は、容器にＩＣタグを取り付けるためのＩＣタグ保持具に関する。
【背景技術】
【０００２】
製品の製造、管理、流通等の分野では、製品に関する情報が視認可能に印字されて製品に取り付けられるタグや、製品に関する情報が視認可能に印字されて製品等に貼付されるラベルが用いられている。近年では、識別情報が書き込まれたＩＣチップから非接触通信によって情報を送受するＲＦＩＤ（Ｒａｄｉｏ  Ｆｒｅｑｕｅｎｃｙ  Ｉｄｅｎｔｉｆｉｃａｔｉｏｎ）技術が種々の分野に適用されるようになっており、当該分野においても浸透しつつある（特許文献１参照）。
【０００３】
特に、製品が保管される倉庫内や店舗の販売フロアの規模において一括読取を可能とするために、ＵＨＦ帯域を使用したＩＣタグが増加しつつある。
【０００４】
このようなＩＣチップ及びアンテナが組み込まれたＩＣタグ及びＩＣラベルには、取り付けられる対象物又は貼付される対象物（以下、これらを含めて被着体という）に関する情報がＩＣチップに記録される。また、同様の情報が視認可能に印字されることもある。
【０００５】
また、近年では、ペットボトルなどの飲料入りの容器の管理にも、ＲＦＩＤ媒体を用いる要求がある。これに対して、ＩＣタグを容器に直接貼付すること、また、結束バンドにより容器の適切な箇所に取り付けることが考えられる（特許文献１参照）。
【先行技術文献】
【特許文献】
【０００６】
【特許文献１】特開２０１３−１４３１１７号公報
【発明の概要】
【０００７】
通信に用いられるＵＨＦ帯域の電波は、ガラスや水分が介在すると、減衰したり、不安定になることが知られている。
【０００８】
このため、ＲＦＩＤ媒体を飲料等の液体の入った容器に単に貼り付けただけでは、ＵＨＦ帯域のＩＣタグ本来の通信性能を発揮することが難しく、さらなる改良の余地があった。
【０００９】
また、製品管理上、管理対象物と対象物に関する情報とは、完全に紐付けされる必要があり、管理対象物と対象物に関する情報とが分離されては、信頼性に欠ける。このため、本体から分離される蓋や栓にＩＣタグを取り付けることは好ましくない。
【００１０】
そこで、本発明は、容器に、ＩＣタグを容易且つ確実に取り付けることができ、通信特性を損なうことのないＩＣタグ保持具の提供を目的とする。
【課題を解決するための手段】
【００１１】
本発明のある態様によれば、液体の注ぎ口が形成されたネック部と胴部とを有する容器にＩＣチップ及びＩＣチップに接続されたアンテナを有するＩＣタグを取り付けるＩＣタグ保持具であって、前記ＩＣタグが配置されたＩＣタグ配置部と、前記ＩＣタグ配置部と連結されており、前記ＩＣタグ配置部を前記容器の外周面から特定の離間長、離間させた状態で前記ネック部に取り付ける取付部とを備え、前記ＩＣタグが前記ＩＣタグ配置部の表面に配置されたＩＣタグ保持具が提供される。
【発明の効果】
【００１２】
これらの態様によれば、容器に、ＩＣタグを容易且つ確実に取り付けることができ、更に、通信特性を損なうことのないＩＣタグ保持具を提供できる。
【図面の簡単な説明】
【００１３】
【図１】図１は、本発明の実施形態に係るＩＣタグ保持具を説明する外観図である。
【図２】図２は、本発明の実施形態に係るＩＣタグ保持具を説明する平面図である。
【図３】図３は、本発明の実施形態に係るＩＣタグ保持具を容器に装着した状態を示す模式図である。
【図４】図４は、本発明の実施形態に係るＩＣタグ保持具に適用されるＩＣタグを説明する平面図である。
【図５】図５は、図４に示すＩＣタグのＶ−Ｖ断面における断面図である。
【図６】図６は、本発明の実施形態に係るＩＣタグ保持具に適用されるＩＣタグの別の例を説明する平面図である。
【図７】図７は、図６に示すＩＣタグのＶＩＩ−ＶＩＩ断面を説明する平面図である。
【図８】図８は、本発明の別の実施形態に係るＩＣタグ保持具を容器に装着した状態を示す模式図である。
【図９】図９は、本発明の別の実施形態に係るＩＣタグ保持具を容器に装着した状態を示す模式図である。
【図１０】図１０は、本発明の別の実施形態に係るＩＣタグ保持具の形状を説明する概略図である。
【図１１】図１１は、本発明の別の実施形態に係るＩＣタグ保持具の形状を説明する概略図である。
【図１２】図１２は、本発明の別の実施形態に係るＩＣタグ保持具の形状を説明する概略図である。
【発明を実施するための形態】
【００１４】
［ＩＣタグ保持具］
以下、図面を用いて、本発明の実施形態に係るＩＣタグ保持具１について説明する。図１は、本発明の実施形態に係るＩＣタグ保持具１を説明する外観図である。また、図２は、本発明の実施形態に係るＩＣタグ保持具１を説明する平面図である。また、図３は、本発明の実施形態に係るＩＣタグ保持具１を容器１００に装着した状態を示す模式図である。
【００１５】
本実施形態に係るＩＣタグ保持具１は、液体が収容された容器１００に、後述するＩＣチップ７３及びＩＣチップ７３に接続されたアンテナ７２を有するＩＣタグ７０を取り付けるためのものである。
【００１６】
本実施形態において、容器１００は、図３に示すように、飲料の注ぎ口１０１が形成されたネック部１０２と、胴部１０３とを有する。注ぎ口１０１には、コルク等からなる栓Ｃが装着されている。容器１００には、液体、特に飲料が収められる。また、飲料としては、ワイン等の酒類が挙げられる。また、本実施形態においては、容器１００は、ガラス製である。
【００１７】
図１及び図２に示すように、ＩＣタグ保持具１は、ＩＣタグ配置部１１と、取付部１２とを備える。
【００１８】
ＩＣタグ配置部１１には、ＩＣタグ７０が配置されている。ＩＣタグ配置部１１は、外側表面１１ａと、容器１００の外周面に対向する内側表面１１ｂとを有する。
【００１９】
ＩＣタグ７０は、ＩＣタグ配置部１１の外側表面１１ａに配置されている。ＩＣタグ７０の詳細は後述する。
【００２０】
取付部１２は、可撓性材料を用いて形成されている。本実施形態では、取付部１２は、側面の一部に切欠部１２Ｓが形成された筒形である。すなわち、取付部１２の側面に交差する断面は、図２に示すように円弧形状である。取付部１２の切欠部１２Ｓでは、取付部１２の端部１２ａ，１２ｂが互いに突き合わされている。
【００２１】
取付部１２は、連結部１３を介して、ＩＣタグ配置部１１と連結されている。連結部１３は、図２に示すように、ＩＣタグ配置部１１を容器１００の外周面から離間長ｄ１、離間させている。
【００２２】
連結部１３の離間長ｄ１とは、５ｍｍ以上５０ｍｍ以下である。連結部１３の離間長ｄ１が５ｍｍ未満であると、ＩＣタグ７０に用いられたＩＣチップ７３のＵＨＦ帯域の電波が容器１００の材質及び容器１００に収められた液体の干渉を受けて、電波強度が低下する。
【００２３】
連結部１３の離間長ｄ１が５０ｍｍを超えると、単位容積当たりの容器１００の収容数が減少するため好ましくない。
【００２４】
上記観点から、連結部１３の離間長ｄ１は、好ましくは、５ｍｍ以上２０ｍｍ以下である。
【００２５】
図２及び図３の例においては、ＩＣタグ配置部１１は、胴部１０３の外形に沿った形状を有する。本実施形態では、ＩＣタグ配置部１１も、取付部１２同様に、切欠部１１Ｓが形成された筒形に形成されている。切欠部１１Ｓでは、ＩＣタグ配置部１１の端部１１ｃ，１１ｄが互いに突き合わされている。
【００２６】
したがって、ＩＣタグ保持具１において、ＩＣタグ配置部１１と取付部１２は、それぞれの側面に交差する断面において、同心円状に形成されている。
【００２７】
図２に示す例においては、取付部１２の筒形の中心軸と、端部１２ａ，１２ｂとのなす角度θ１は、３０度以上１２５度以下であることが好ましい。角度θ１がこの範囲にあると、容器１００への着脱が容易であるとともに、装着後に外れにくい。この観点から、角度θ１の下限は、３０度であり、上限は、７５度であることがより好ましい。
【００２８】
また、取付部１２の筒形の中心軸とＩＣタグ配置部１１の端部１１ｃ，１１ｄとのなす角度θ２は、３０度以上３２０度以下であることが好ましい。角度θ２がこの範囲にあると、着脱が容易であるとともに、ＩＣタグ７０がＩＣタグ配置部１１の外側表面１１ａからはみ出すこと無く配置できるとともに、着脱容易とすることができる。
【００２９】
図２及び図３に示すように、取付部１２は、容器１００のネック部１０２の外形に沿った形状を有する。すなわち、図３に示すように、取付部１２の内径ｄ２は、容器１００のネック部１０２の外径Ｄ２に適合するように形成されている。
【００３０】
また、図３に示すように、ＩＣタグ配置部１１の外側表面１１ａは、容器１００の幅方向断面積の最も大きい位置、すなわち最大膨隆部を含む仮想筒形状Ｓ内に収まるように形成されている。本実施形態では、ＩＣタグ配置部１１の外径ｄ３は、仮想筒形状Ｓの外径Ｄ１以下とされている。
【００３１】
図４は、本実施形態に係るＩＣタグ保持具１に適用されるＩＣタグ７０を説明する平面図である。図５は、図４に示すＩＣタグ７０のＶ−Ｖ断面の断面図である。
【００３２】
ＩＣタグ７０は、基材７１と、基材７１に設けられたアンテナ７２と、アンテナ７２に接続されたＩＣチップ７３とを備える。また、基材７１のアンテナ７２及びＩＣチップ７３が設けられる面７１ａは、粘着剤層７４によって覆われている。
【００３３】
ＩＣタグ７０の基材７１の面７１ｂ（ＩＣチップ７３が配置された面７１ａの反対面）には、粘着剤層７５とラベル基材７６とからなるラベル７８が貼り付けられている。すなわち、ＩＣタグ７０は、その粘着剤層７４とラベル７８の粘着剤層７５によって、ＩＣタグ配置部１１の外側表面１１ａに貼り付けられている（図１及び図３参照）。
【００３４】
図６は、本発明の実施形態に係るＩＣタグ保持具１に適用されるＩＣタグ７０の別の例を説明する平面図である。図７は、図６に示すＩＣタグ７０のＶＩＩ−ＶＩＩ断面の断面図である。
【００３５】
図６及び図７に示すＩＣタグ７０は、ＩＣタグ用の基材とラベル基材とを兼ねた基材７７と、基材７７に設けられたアンテナ７２と、アンテナ７２に接続されたＩＣチップ７３とを備える。また、基材７７のアンテナ７２及びＩＣチップ７３が設けられる面７７ａは、粘着剤層７４によって覆われている。
【００３６】
アンテナ７２は、ＲＦＩＤの仕様に応じて、ＵＨＦ帯（３００ＭＨｚ〜３ＧＨｚ、特に８６０ＭＨｚ〜９６０ＭＨｚ）、マイクロ波（１〜３０ＧＨｚ、特に２．４ＧＨｚ近傍）、及びＨＦ帯（３ＭＨｚ〜３０ＭＨｚ、特に１３．５６ＭＨｚ近傍）等の特定の周波数帯に対応したパターンに設計される。本実施形態のアンテナ７２は、ＵＨＦ帯の例である。
【００３７】
以上説明したように、本実施形態に係るＩＣタグ保持具１によれば、ＩＣタグ７０が配置されるＩＣタグ配置部１１は、容器１００から離間長ｄ１、離間された状態で、取付部１２に連結されている。このため、容器１００の材質及び容器１００に収められた液体の影響を受けることがなく、通信特性を損なうことがない。
【００３８】
また、本実施形態に係るＩＣタグ保持具１において、円弧状に形成された取付部１２の一部には、切欠部１２Ｓが形成されている。取付部１２の切欠部１２Ｓにおいては、取付部１２の端部１２ａ，１２ｂは、互いに突き合う位置にある。
【００３９】
取付部１２は可撓性材料で形成されている。このため、取付部１２の端部１２ａ，１２ｂがネック部１０２に押し当てられると、端部１２ａ，１２ｂの間隔が容器１００のネック部１０２の外径Ｄ２に沿って押し広げられる。これにより、取付部１２をネック部１０２の側面からネック部１０２に装着することができる。
【００４０】
また、端部１２ａ，１２ｂがネック部１０２を通過した後は、取付部１２の端部１２ａ，１２ｂの間隔が元に戻る。これにより、取付部１２がネック部１０２に留め付けられる。
【００４１】
また、本実施形態に係るＩＣタグ保持具１においては、ＩＣタグ配置部１１の外径ｄ３は外側表面１１ａが容器１００の胴部１０３の最大膨隆部を含む仮想筒形状Ｓの外径Ｄ１以下であることにより、複数の容器１００を並べて配置する場合であっても、ＩＣタグ保持具１同士が干渉することがない。
【００４２】
また、例えば、ワインボトル等のように意匠性が重視されるものであったとしても、ＩＣタグ保持具１は、容器１００の美観を損なわない。
【００４３】
また、製品管理上、管理対象物と対象物に関する情報とが分離されては、信頼性に欠けるため、本体から分離される蓋や栓にアンテナ及びＩＣチップを取り付けることは好ましくない。これに対して、本実施形態に係るＩＣタグ保持具１における取付部１２は、容器１００のネック部１０２に係止されるため、容易且つ確実に取り付けられる。
【００４４】
［その他の実施形態］
本実施形態に係るＩＣタグ保持具１は、本発明の要旨を逸脱しない範囲で種々の変更が可能である。続いて、本発明の他の実施形態に係るＩＣタグ保持具２について説明する。
【００４５】
図８は、本発明の別の実施形態に係るＩＣタグ保持具２を容器１００に装着した状態を示す模式図である。
【００４６】
ＩＣタグ保持具２は、ＩＣタグ配置部２１と、取付部２２とを備える。ＩＣタグ配置部２１は、容器１００の外形と同じ形状を有する。本実施形態では、ＩＣタグ配置部２１は、側面の一部に切欠部２１Ｓが形成された肉厚な筒形に形成されている。ＩＣタグ配置部２１の切欠部２１Ｓでは、ＩＣタグ配置部２１の端部２１ａ，２１ｂが互いに突き合わされている。
【００４７】
ＩＣタグ配置部２１の内径ｄ４は、容器１００のネック部１０２の外径Ｄ２よりも大きい。
【００４８】
取付部２２は、変形した後に、変形前の形状に弾性回復可能な緩衝性材料を用いて形成されている。また、取付部２２を形成する緩衝性材料の厚みが、所望の離間長ｄ１に設定されている。
【００４９】
緩衝性材料としては、ポリウレタン、ポリエチレン、ポリプロピレン、ポリスチレン等の合成樹脂を発泡させたもの、ゴムを発泡させたもの、ゲル化素材等があげられる。
【００５０】
ＩＣタグ配置部２１は、ネック部１０２に切欠部２１Ｓを嵌めた際に、端部２１ａ，２１ｂの間隔が押し広げられる可撓性材料で形成されていることが好ましい。この場合には、ＩＣタグ配置部２１の端部２１ａ，２１ｂの間隔は、ネック部１０２の外径Ｄ２よりも小さくてもよい。
【００５１】
また、端部２１ａ、２１ｂの間隔を変化させることが困難な材質のものを用いる場合には、端部２１ａ，２１ｂの間隔は、ネック部１０２の外径Ｄ２よりも大きく形成されていることが好ましい。
【００５２】
ＩＣタグ配置部２１が可撓性材料で形成されている場合には、ＩＣタグ配置部２１の端部２１ａ，２１ｂ及び取付部２２の端部２２ａ，２２ｂがネック部１０２に押し当てられると、取付部２２の端部２２ａ，２２ｂが圧縮されて変形するとともに、ＩＣタグ配置部２１の端部２１ａ，２１ｂの間隔が容器１００のネック部１０２の外径Ｄ２よりも大きく押し広げられる。
【００５３】
これにより、ＩＣタグ保持具２をネック部１０２の側面からネック部１０２に装着することができる。
【００５４】
ＩＣタグ保持具２がネック部１０２に装着されると、圧縮変形された取付部２２の端部２２ａ，２２ｂが弾性回復することによって、ＩＣタグ保持具２がネック部１０２に留め付けられる。
【００５５】
続いて、図９は、本発明の別の実施形態に係るＩＣタグ保持具３を容器１００に装着した状態を示す模式図である。
【００５６】
ＩＣタグ保持具３は、ＩＣタグ配置部３１と、取付部３２とを備える。
【００５７】
ＩＣタグ配置部３１は、容器１００の外形と同じ形状を有する。本実施形態では、ＩＣタグ配置部３１は、切欠部のない肉厚な筒形に形成されている。ＩＣタグ配置部３１の内径ｄ４は、容器１００のネック部１０２の外径Ｄ２よりも大きい。
【００５８】
取付部３２は、変形した後に変形前の形状に回復可能な緩衝性材料を用いて形成されている。また、取付部３２は、環状に形成されている。
【００５９】
取付部３２の内径ｄ４は、少なくとも容器１００のネック部１０２の外径Ｄ２以下に形成されている。また、取付部３２を形成する緩衝性材料の厚みは、装着状態において、特定の離間長ｄ１に設定されている。
【００６０】
ＩＣタグ保持具３の取付部３２は、可撓性材料で形成されているため、ＩＣタグ保持具３が容器１００のネック部１０２から胴部１０３に向けて押し込められると、取付部３２が圧縮変形される。
【００６１】
ＩＣタグ保持具３がネック部１０２まで移動されると、取付部３２の変形が回復する。これにより、ＩＣタグ保持具３をネック部１０２の注ぎ口１０１側から押し込んで、ネック部１０２に留め付けることができる。
【００６２】
［変形例］
図３に示すように、ＩＣタグ配置部１１の外側表面１１ａは、容器１００の胴部１０３の最大膨隆部を含む仮想筒形状Ｓ内に収まるように形成されている。容器１００の断面が矩形状であれば、ＩＣタグ配置部１１の側面に交差する方向の断面もまた矩形状とすることが好ましい。
【００６３】
これにより、複数の容器１００を並べて配置する場合であっても、ＩＣタグ保持具１同士が干渉することがない。また、意匠性を有する容器１００であったとしても、ＩＣタグ保持具１が容器１００の美観に影響を与えないという効果を奏する。
【００６４】
また、ＩＣタグ保持具１では、アンテナ７２及びＩＣチップ７３を有するＩＣタグ７０は、容器１００の外周面から離間長ｄ１離間されていればよく、ＩＣタグ配置部１１の容器１００側にある内側表面１１ｂに配置されていてもよい。
【００６５】
ＩＣタグ保持具２では、ＩＣタグ７０がＩＣタグ配置部２１と取付部２２との間、すなわち、ＩＣタグ配置部２１の容器１００側にある内側表面（番号なし）に配置されていてもよい。ＩＣタグ保持具３もＩＣタグ保持具２と同様の変更が可能である。
【００６６】
さらには、ＩＣタグ７０は、容器１００の外周面から離間長ｄ、離間されていればよく、ＩＣタグ配置部１１，２１，３１の内部に埋め込まれていてもよい。すなわち、ＩＣタグ７０は、ＩＣタグ配置部１１，２１，３１と一体成型されていてもよい。
【００６７】
なお、ＩＣタグ７０を埋設する場合には、基材７１は無くてもよい。また、埋設式の場合、アンテナ７２及びＩＣチップ７３をＩＣタグ配置部１１に取り付けるための粘着剤層７４は用いなくともよい。
【００６８】
容器１００は、ガラス製以外に、例えば、ＰＥＴのような合成樹脂製、陶器製のものでもよい。容器１００の注ぎ口１０１に合わせて、栓Ｃの形態も変更可能である。
【００６９】
ＩＣタグ保持具１におけるＩＣタグ配置部１１の形状は、上述した図１及び図２を用いて説明した形状に限定されない。図１０〜図１２は、ＩＣタグ保持具の別の実施形態を説明する概略図である。
【００７０】
図１０に示すＩＣタグ保持具４は、ＩＣタグ配置部４１と、取付部４２とを備える。取付部４２は、容器１００のネック部１０２に取り付けられる。ＩＣタグ配置部４１は、平板状であり、平板端部がネック部１０２の径方向に折り込まれた形状を有する。ネック部１０２径方向におけるＩＣタグ配置部４１の幅は、容器１００の胴部１０３の最大膨隆部から出ないことが好ましい。
【００７１】
図１１に示すＩＣタグ保持具５は、ＩＣタグ配置部５１と、取付部５２とを備える。取付部５２は、容器１００のネック部１０２に取り付けられる。ＩＣタグ配置部５１は、平板状であり、取付部５２の外径に収まるサイズに形成されている。
【００７２】
図１２に示すＩＣタグ保持具６は、ＩＣタグ配置部６１と、取付部６２とを備える。取付部６２は、容器１００のネック部１０２に取り付けられる。ＩＣタグ配置部６１は、平板状である。ネック部１０２径方向におけるＩＣタグ配置部４１の幅は、容器１００の胴部１０３の最大膨隆部から出ないことが好ましい。
【００７３】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００７４】
１    ＩＣタグ保持具
２    ＩＣタグ保持具
３    ＩＣタグ保持具
４    ＩＣタグ保持具
５    ＩＣタグ保持具
６    ＩＣタグ保持具
１１    ＩＣタグ配置部
１１ａ    外側表面
１１ｂ    内側表面
１１Ｓ    切欠部
１２    取付部
１２ａ，１２ｂ    端部
１２Ｓ    切欠部
１３    連結部
２１    ＩＣタグ配置部
２１ａ，２１ｂ    端部
２１Ｓ    切欠部
２２    取付部
２２ａ，２２ｂ    端部
３１    ＩＣタグ配置部
３２    取付部
４１    ＩＣタグ配置部
４２    取付部
５１    ＩＣタグ配置部
５２    取付部
６１    ＩＣタグ配置部
６２    取付部
７０    ＩＣタグ
７１    基材
７１ａ，７１ｂ    面
７１ｂ    面
７２    アンテナ
７３    ＩＣチップ
７４    粘着剤層
７５    粘着剤層
７６    ラベル基材
７７    基材
７７ａ    面
７８    ラベル
１００    容器
１０１    注ぎ口
１０２    ネック部
１０３    胴部
Ｃ  栓
【図１】
2018106575.tif 000003
【図２】
2018106575.tif 000004
【図３】
2018106575.tif 000005
【図４】
2018106575.tif 000006
【図５】
2018106575.tif 000007
【図６】
2018106575.tif 000008
【図７】
2018106575.tif 000009
【図８】
2018106575.tif 000010
【図９】
2018106575.tif 000011
【図１０】
2018106575.tif 000012
【図１１】
2018106575.tif 000013
【図１２】
2018106575.tif 000014